(57)【要約】【課題】起伏自在に軸支された荷支持台を水平倒伏姿勢において左右両側パネルに係止する荷支持台係止装置の操作性を改善する。【解決手段】荷支持台４の前側辺に設けられた操作レバー３５には、ロックバー２４を係止片２９ａの下側から離脱した係止解除位置Ｐ２と係止片２９ａの下側に係合する係止作用位置Ｐ１との間で位置を切り換える傾斜長孔３７が設けられ、この傾斜長孔３７は、その両端間の全域が直線状のものであり、係止片２９ａは、荷支持台４が水平倒伏姿勢に回倒してくるときにロックバー２４を係止作用位置Ｐ１から係止解除位置Ｐ２へ移動させる先端下がりの傾斜上辺４３ａを備えたフック部４３を有し、このフック部４３の先端下側に下向きの外れ防止用凸部４３ｂが設けられた構成。【選択図】図８
2008062726.tif 000002
【特許請求の範囲】
【請求項１】
背パネルの下側辺に起伏自在に軸支された荷支持台を、その左右両側辺が左右両側パネルの下側辺に支持される水平倒伏姿勢において、前記左右両側パネルに係止する荷支持台係止装置であって、荷支持台が水平倒伏姿勢にあるときの前後方向に平行移動自在に当該荷支持台に支持された左右水平横方向のロックバーと、前記ロックバーの両端部に係合可能に左右両側パネルに立設された一対の係止片と、荷支持台の前側辺に上下揺動自在に支承された操作レバーとを備え、この操作レバーには、当該操作レバーの上動により前記ロックバーを前記係止片の下側から離脱した係止解除位置へ移動させると共に当該操作レバーの下動により前記ロックバーを前記係止片の下側に係合する係止作用位置へ移動させるための、前記ロックバーが貫通する傾斜長孔が設けられた、荷支持台係止装置において、前記傾斜長孔は、その両端間の全域が直線状のものであり、前記係止片は、荷支持台が水平倒伏姿勢に回倒してくるときに前記ロックバーを係止作用位置から係止解除位置へ移動させる先端下がりの傾斜上辺を備えたフック部を有し、このフック部の先端下側に下向きの外れ防止用凸部が設けられ、荷支持台が水平倒伏姿勢にあって且つ前記ロックバーが係止作用位置にあるとき、前記ロックバーが前記外れ防止用凸部よりも内側で前記係止片フック部の下側に入り込んでいる、折り畳み自在搬送用台車の荷支持台係止装置。
【請求項２】
荷支持台が水平倒伏姿勢にあるときの前記ロックバーが、前記係止片フック部の外れ防止用凸部より低い高さにあって、操作レバーにより当該ロックバーを前後移動させたときに前記外れ防止用凸部と干渉しないように構成された、請求項１に記載の折り畳み自在搬送用台車の荷支持台係止装置。
【請求項３】
前記ロックバーは、背パネルのある後方への移動により前記係止片に係合する係止作用位置に達し、背パネルのある側とは反対側の前方への移動により前記係止片から離脱する係止解除位置に達するように構成され、前記操作レバーの傾斜長孔は、背パネルのある側とは反対側の前方側が下がるように傾斜している、請求項１又は２に記載の折り畳み自在搬送用台車の荷支持台係止装置。
【請求項４】
前記操作レバーは、底面側が下方に突出した肉厚前端部を備え、この肉厚前端部内に前記傾斜長孔が設けられている、請求項３に記載の折り畳み自在搬送用台車の荷支持台係止装置。
【請求項５】
荷支持台の底面側には、操作レバーが遊嵌する切欠き凹部をコ字形に取り囲む突出部が形成され、この突出部から前記肉厚前端部を含む操作レバーの全体が下側に突出しないように構成されている、請求項４に記載の折り畳み自在搬送用台車の荷支持台係止装置。
【請求項６】
荷支持台には、前記ロックバーが平行移動可能に遊嵌するロックバーガイドが荷支持台の左右両側辺間にわたって貫通して構成され、前記ロックバーは、操作レバーの前記傾斜長孔を貫通するように前記ロックバーガイドに一端から挿通され、荷支持台の左右両側辺には、前記ロックバーの両端部と重なり且つ前記係止片が遊嵌する開口部が設けられている、請求項１〜５の何れか１項に記載の折り畳み自在搬送用台車の荷支持台係止装置。
【請求項７】
荷支持台には、前記ロックバーガイドと重なるように下側開放の凹入部が設けられ、この凹入部にはロックバー抜け止め部材が遊嵌され、前記ロックバーは、操作レバーの前記傾斜長孔と前記ロックバー抜け止め部材の貫通孔とを貫通するように前記ロックバーガイドに一端から挿通され、前記ロックバー抜け止め部材と前記ロックバーとには、前記ロックバーの圧入により互いに係合して両者の軸方向の相対遊動を阻止する係止部が設けられている、請求項６に記載の折り畳み自在搬送用台車の荷支持台係止装置。
【請求項８】
荷支持台には、左右横方向の補強用鋼管が前後方向適当間隔おきに埋設され、前記操作レバーは、前記補強用鋼管の内、最前端の補強用鋼管に上下揺動自在に支承されている、請求項１〜７の何れか１項に記載の折り畳み自在搬送用台車の荷支持台係止装置。
【請求項９】
前記操作レバーには、係止作用位置と係止解除位置との間のロックバーの移動経路脇で、係止作用位置にあるロックバーに隣接する位置にロックバー乗り越え突起が突設されている、請求項１〜８の何れか１項に記載の折り畳み自在搬送用台車の荷支持台係止装置。
【請求項１０】
前記操作レバーは自重でのみ下動方向に付勢され、前記ロックバーを係止作用位置に付勢するバネは併用されていない、請求項１〜９の何れか１項に記載の折り畳み自在搬送用台車の荷支持台係止装置。
【発明の詳細な説明】
【技術分野】
【０００１】
本発明は、折り畳み自在搬送用台車の荷支持台、即ち、背パネルの下側辺に起伏自在に軸支された荷支持台を、水平倒伏姿勢において左右両側パネルに係止する荷支持台係止装置に関するものである。
【背景技術】
【０００２】
折り畳み自在搬送用台車の荷支持台係止装置は、背パネルの下側辺に起伏自在に軸支された荷支持台を前方下方に回倒してその左右両側辺を左右両側パネルに支持させた使用状態において、フォークリフトで荷支持台を掬い上げてこの搬送用台車を移動させることを可能にするために必要なものであるが、従来のこの種の折り畳み自在搬送用台車の荷支持台係止装置は、特許文献１に開示されるように、荷支持台の前側辺に前後方向に平行移動可能に内装したロックバーをスプリングにより後方移動限の係止作用位置に付勢保持させ、荷支持台を水平倒伏姿勢に回倒させたときに前記ロックバーの左右両端部に係合する係止片を左右両側パネルの下側辺に突設し、荷支持台を背パネルに重ねるように上動起立させるために前記ロックバーと係止片との係合を解除させるときは、ロックバーを前記スプリングの付勢力に抗して前方移動限の係止解除位置へ平行移動させるものであった。
【特許文献１】特開平９−２２７３号公報
【発明の開示】
【発明が解決しようとする課題】
【０００３】
上記のような従来の荷支持台係止装置では、前後平行移動自在なロックバーを係止作用位置に付勢保持させるためのスプリングを含む付勢手段が必須のものであって、部品点数が多く、構造が複雑でコスト高になる欠点があるだけでなく、ロックバーを係止解除位置へ平行移動させるときの操作の方向が荷支持台を上動起立させるときの持ち上げ方向とは異なるため、ロックバーを係止解除位置へ平行移動させる操作と荷支持台を持ち上げる操作の、操作方向が異なる二段操作が必要であり、しかもロックバーを係止解除位置へ平行移動させる操作は荷支持台の上から行うのであるから、係止解除の後、ロックバーを操作した手で引き続いて荷支持台を上動させることができるとしても、荷支持台を持ち上げるのではなく引き上げることになるので、荷支持台を背パネルに重なる起立姿勢まで上動させるためには、荷支持台を底面側から押し上げる操作に切り換えなければならず、荷支持台の折り畳み操作は容易でなかった。
【課題を解決するための手段】
【０００４】
本発明は上記のような従来の問題点を解消し得る折り畳み自在搬送用台車の荷支持台係止装置を提供することを目的とするものであって、その手段を後述する実施形態の参照符号を付して示すと、背パネル１の下側辺に起伏自在に軸支された荷支持台４を、その左右両側辺が左右両側パネル２，３の下側辺に支持される水平倒伏姿勢において、前記左右両側パネル２，３に係止する荷支持台係止装置であって、荷支持台４が水平倒伏姿勢にあるときの前後方向に平行移動自在に当該荷支持台４に支持された左右水平横方向のロックバー２４と、このロックバー２４の両端部に係合可能に左右両側パネル２，３に立設された一対の係止片２９ａ，２９ｂと、荷支持台４の前側辺に上下揺動自在に支承された操作レバー３５とを備え、この操作レバー３５には、当該操作レバー３５の上動により前記ロックバー２４を前記係止片２９ａ，２９ｂの下側から離脱した係止解除位置Ｐ２へ移動させると共に当該操作レバー３５の下動により前記ロックバー２４を前記係止片２９ａ，２９ｂの下側に係合する係止作用位置Ｐ１へ移動させるための、前記ロックバー２４が貫通する傾斜長孔３７が設けられた、荷支持台係止装置において、前記傾斜長孔３７は、その両端間の全域が直線状のものであり、前記係止片２９ａ，２９ｂは、荷支持台４が水平倒伏姿勢に回倒してくるときに前記ロックバー２４を係止作用位置Ｐ１から係止解除位置Ｐ２へ移動させる先端下がりの傾斜上辺４３ａを備えたフック部４３を有し、このフック部４３の先端下側に下向きの外れ防止用凸部４３ｂが設けられ、荷支持台４が水平倒伏姿勢にあって且つ前記ロックバー２４が係止作用位置Ｐ１にあるとき、前記ロックバー２４が前記外れ防止用凸部４３ｂよりも内側で前記係止片フック部４３の下側に入り込む構成となっている。
【０００５】
上記構成の本発明を実施するについて、具体的には請求項２に記載のように、荷支持台４が水平倒伏姿勢にあるときの前記ロックバー２４が、前記係止片フック部４３の外れ防止用凸部４３ｂより低い高さにあって、操作レバー３５により当該ロックバー２４を前後移動させたときに前記外れ防止用凸部４３ｂと干渉しないように構成することができる。
【０００６】
又、請求項３に記載のように、前記ロックバー２４は、背パネル１のある後方への移動により前記係止片２９ａ，２９ｂに係合する係止作用位置Ｐ１に達し、背パネル１のある側とは反対側の前方への移動により前記係止片２９ａ，２９ｂから離脱する係止解除位置Ｐ２に達するように構成し、前記操作レバー３５の傾斜長孔３７は、背パネル１のある側とは反対側の前方側が下がるように傾斜させることができる。この場合、請求項４に記載のように、前記操作レバー３５には、底面側が下方に突出した肉厚前端部３５ａを設け、この操作レバー３５の肉厚前端部３５ａ内に前記傾斜長孔３７を設けることができる。更にこの場合、請求項５に記載のように、荷支持台４の底面側には、操作レバー３５が遊嵌する切欠き凹部３６をコ字形に取り囲む突出部４２を形成し、この突出部４２から前記肉厚前端部３５ａを含む操作レバー３５の全体が下側に突出しないように構成することができる。
【０００７】
又、請求項６に記載のように、荷支持台４には、前記ロックバー２４が平行移動可能に遊嵌するロックバーガイド３４を荷支持台４の左右両側辺間にわたって貫通して構成し、前記ロックバー２４は、操作レバー３５の傾斜長孔３７を貫通するように前記ロックバーガイド３４に一端から挿通し、荷支持台４の左右両側辺には、前記ロックバー２４の両端部と重なり且つ前記係止片２９ａ，２９ｂが遊嵌する開口部３３ａ，３３ｂを設けることができる。この場合、請求項７に記載のように、荷支持台４には、前記ロックバーガイド３４と重なるように下側開放の凹入部３９を設け、この凹入部３９にはロックバー抜け止め部材３８を遊嵌し、前記ロックバー２４は、操作レバー３５の傾斜長孔３７と前記ロックバー抜け止め部材３８の貫通孔３８ａとを貫通するように前記ロックバーガイド３４に一端から挿通し、前記ロックバー抜け止め部材３８と前記ロックバー２４とには、ロックバー２４の圧入により互いに係合して両者の軸方向の相対遊動を阻止する係止部４０を設けることができる。
【０００８】
更に、請求項８に記載のように、荷支持台４には、左右横方向の補強用鋼管２０ａ〜２０ｃを前後方向適当間隔おきに埋設し、前記操作レバー３５は、前記補強用鋼管２０ａ〜２０ｃの内、最前端の補強用鋼管２０ａに上下揺動自在に支承することができる。又、請求項９に記載のように、前記操作レバー３５には、係止作用位置Ｐ１と係止解除位置Ｐ２との間のロックバー２４の移動経路脇で、係止作用位置Ｐ１にあるロックバー２４に隣接する位置にロックバー乗り越え突起４４を突設することができる。
【０００９】
又、請求項１０に記載のように、前記操作レバー３５には、この操作レバー３５を下動方向に付勢するバネを併用しないで、自重でのみ下動方向に付勢されるように構成すると共に、前記ロックバー２４を係止作用位置に付勢するバネも併用しないで構成することができる。
【発明の効果】
【００１０】
上記構成の本発明に係る折り畳み自在搬送用台車の荷支持台係止装置によれば、荷支持台を上動起立させるための準備操作である荷支持台係止解除操作が、荷支持台の前側辺に設けられた操作レバーを上向きに持ち上げる操作となるから、当該操作により荷支持台側のロックバーが左右両側パネル側の係止片から離脱した後、上動限位置まで持ち上げられた操作レバーを介してそのまま荷支持台を持ち上げることにより、係止解除後の荷支持台を引き続いて背パネルに重なる起立姿勢まで上動させることができる。従って操作者は、操作対象部位を特定するだけで係止解除操作を意識しないで、係止されていた荷支持台を底面側から持ち上げてそのまま一挙動で起立させることができ、荷支持台の係止解除及び起立折り畳み操作が非常に容易にかつ能率的に行える。
【００１１】
しかも、操作レバーは、特にスプリングで付勢しなくとも自重で下動限位置に付勢保持されることになるので、ロックバーを係止作用位置と係止解除位置との間で移動させる操作手段は、斜めに傾斜した長孔を有する操作レバーを荷支持台の前側辺に上下揺動自在に軸支するだけで構成できるので、部品点数が少なく構造が簡単で安価に実施することができる。
【００１２】
更に本発明の構成によれば、ロックバーを係止作用位置と係止解除位置との間で移動させるために操作レバーに設けられる傾斜長孔が、その両端間の全域が直線状のものであるから、操作レバーの制作が容易になるが、その反面、荷支持台をフォークリフトで持ち上げて搬送するときの振動で、操作レバーの上動を伴いながら、ロックバーが係止片のフック部下側を摺接しながら係止作用位置から開始解除位置へ移動し、ついにはロックバーが係止片から外れて荷支持台と左右両側パネルとの係止が解かれ、搬送用台車の正常な形態が維持できなくなるという異常事態に陥る恐れがある。しかしながら本発明の構成によれば、仮に上記のような状況が生じても、係止片のフック部下側を摺接しながら係止作用位置から開始解除位置へ移動するロックバーは、係止片のフック部の先端下側に設けられた外れ防止用凸部に当接し、フック部先端から外れてしまうことは最終的に阻止されるので、荷支持台と左右両側パネルとの係止が解かれてしまうという異常事態は回避でき、安全性が格段に向上する。
【００１３】
本発明を実施する場合、荷支持台が水平倒伏姿勢にあるときの前記ロックバーが、前記係止片フック部の外れ防止用凸部より高い位置、即ち、操作レバーにより当該ロックバーを前後移動させたときに前記外れ防止用凸部と干渉するような高さに位置するように構成し、操作レバーにより当該ロックバーを係止解除位置と係止作用位置との間で前後移動させるとき、ロックバーの両端部が弾性に抗して下側に撓み変形しながら外れ防止用凸部を乗り越えるように構成することもできる。しかしながら、請求項２に記載の構成によれば、ロックバーはその全長にわたって前後方向にのみ平行移動可能に支持すれば良く、ロックバーのガイド構造が簡単になると共に、ロックバーを構成する素材やサイズが制約されることが少なくなる。更に、操作レバーによるロックバーの位置切り換え操作が楽に容易に行える。
【００１４】
又、本発明は、操作レバーの傾斜長孔を前上がりに傾斜する長孔状とし、操作レバーを上方に揺動させたときにロックバーが後方に平行移動して係止片から離脱するように構成して実施することもできるが、請求項３に記載の構成によれば、係止作用位置と係止解除位置との間のロックバーの前後移動量を確保するための操作レバーの前後方向長さや上動限位置までの持ち上げ操作量を小さくすることができ、操作レバーのコンパクト化と良好な操作性を得ることができる。
【００１５】
又、上記請求項３に記載の構成を採用する場合、請求項４に記載の構成によれば、前下りに傾斜する長孔状の貫通孔を形成するための操作レバーの肉厚前端部が底面側に突出する把手部として利用することができ、操作レバーの底面側からの持ち上げによる係止解除操作と、これに続く荷支持台の上動起立操作とを手先で容易且つ確実に行える。この場合、更に請求項５に記載の構成によれば、操作レバーの肉厚前端部が荷支持台の底面レベルから下方に突出する状態であっても、操作レバーが遊嵌する切欠き凹部をコ字形に取り囲む突出部の存在により、フォークリフトで荷支持台を支持して搬送用台車を持ち上げる場合に誤ってフォークで操作レバーを押し上げて荷支持台の係止が解除されてしまうという危険な事態を未然に回避でき、安全性を高めることができる。
【００１６】
又、請求項６に記載の構成によれば、荷支持台のロックバーガイドと操作レバーに対するロックバーの組み付けが極めて簡単容易に行えるのであるが、特に請求項７に記載の構成を併用することにより、ロックバーの組み付けが簡単容易に行えるにもかかわらず、当該ロックバーを荷支持台内の所定位置に確実に保持させることができる。
【００１７】
又、請求項８に記載の構成によれば、操作レバーを軸支する支軸として、荷支持台に埋設された補強用鋼管の一部を利用できるので、部品点数の一層の削減にも役立つと共に、操作レバーの軸支強度を高めることができる。又、請求項９に記載の構成によれば、操作レバーを下動させてロックバーを係止解除位置から係止作用位置に移動させることにより荷支持台を左右両側パネルに係止させる係止操作を行ったとき、操作レバーが備える乗り越え突起をロックバーが乗り越えるときの抵抗で、作業者にロックされたことを認識させるクリック操作感を与えることができ、確実なロック操作を行わせることができる。
【００１８】
更に、請求項１０に記載の構成によれば、一切バネ類を使用せずに構成することができ、コストダウンを図ることができる。又、ロックバーを係止解除位置から係止作用位置に移動させる係止操作を行うときの操作レバーの上動操作が軽く容易に行える。このように操作レバーをバネで強制的に下動方向に付勢しないときは、操作レバーが簡単に振動で上下動する恐れがあるが、請求項１に記載の本発明の構成が前提にあるから、フォークリフトで荷支持台を持ち上げて搬送するときの振動で操作レバーが上下に振動してもロックが外れてしまう恐れがないのである。
【発明を実施するための最良の形態】
【００１９】
以下に本発明の具体的実施例を添付図に基づいて説明すると、図１〜図３において、１は背パネル、２は左側パネル、３は右側パネル、４は荷支持台である。背パネル１及び左右両側パネル２，３は、それぞれアングル材利用の下側辺部材５上に、門形に曲げ加工した丸パイプ材から成る門形周囲枠６を立設すると共に、この下側辺部材５と門形周囲枠６とで囲まれた矩形領域内に複数本の縦桟７と複数本の横桟８とを格子状に架設して成るものである。
【００２０】
背パネル１の両端下側と左右両側パネル２，３の前端下側とにはそれぞれ車輪（自在車輪や向き固定車輪など）９ａ〜９ｄが取り付けられている。背パネル１の両端下側の車輪９ａ，９ｂは、その取付座盤１０ａ，１０ｂが背パネル１の下側辺部材５の両端下側に、内側（前方）にのみ突出するように２本のボルトナット１１で取り付けられ、左側パネル２の前端下側の車輪９ｃは、その取付座盤１０ｃが左側パネル２の下側辺部材５の前端下側に、内側（右側）にのみ突出するように２本のボルトナット１２で取り付けられ、右側パネル３の前端下側の車輪９ｄは、その取付座盤１０ｄが右側パネル３の下側辺部材５の前端下側に、内側（左側）にのみ突出するように２本のボルトナット１３で取り付けられている。
【００２１】
左側パネル２は、その下側辺部材５の後端部が、背パネル１の左側端部下側の車輪取付座盤１０ａの下側辺部材５から前方に突出する部分の左側辺部上に重ねられた状態で垂直ピン１４とボルトナット１５とで、背パネル１に対し直角向きに固定されている。右側パネル３は、その下側辺部材５の後端部が、背パネル１の右側端部下側の車輪取付座盤１０ｂの下側辺部材５から前方に突出する部分の右側辺部上に重ねられた状態で垂直ピン１６の周りで左右水平方向揺動自在に連結されている。尚、図３に示すように、垂直ピン１４は、左側パネル２の門形周囲枠６の後側支柱部６ｂ内に同心状に嵌入しており、垂直ピン１６は、右側パネル３の門形周囲枠６の後側支柱部６ｂ内に同心状に嵌入している。
【００２２】
図１及び図２に示すように、背パネル１の門形周囲枠６の左右両側支柱部６ａ，６ｂと左右両側パネル２，３の門形周囲枠６の後側支柱部６ｂとは、それぞれ上下２段の連結部材１８，１９によって連結されている。これら連結部材１８，１９は、背パネル１側の左右両側支柱部６ａ，６ｂに対しては左右水平揺動できない状態に固定され、左右両側パネル２，３側の後側支柱部６ｂに対しては、これら後側支柱部６ｂの軸心周りの自転を許す状態に遊嵌している。
【００２３】
荷支持台４は、図３に示すように、合成樹脂製の矩形盤状のもので、左右横方向の補強用鋼管２０ａ〜２０ｃが前後方向適当間隔おきに埋設され、その後側辺の左右両端近傍２箇所が、互いに同心状の左右水平支軸２８（図６、図７、及び図９参照）を備えたヒンジ２１，２２を介して背パネル１の下側辺部材５上に上下起伏自在に軸支されている。又、荷支持台４の前側辺近傍位置には係止装置２３を構成するロックバー２４と操作手段２５とが設けられている。
【００２４】
而して、荷支持台４を前方下方に水平状態まで倒伏させることにより、当該荷支持台４の左右両側辺が左右両側パネル２，３の下側辺部材５上に支持される。係止装置２３は、この状態で荷支持台４の左右両側辺前端部を左右両側パネル２，３の下側辺部材５に係止させて、荷支持台４と左右両側パネル２，３とを結合させるものであって、荷支持台４側のロックバー２４の両端部と係合するように左右両側パネル２，３側に設けられた係止片２９ａ，２９ｂを備えている。
【００２５】
以下、係止装置２３の詳細を、図３〜図１２に基づいて説明すると、係止片２９ａ，２９ｂは、図４及び図９〜図１２に示すように先端が背パネル１のある側とは反対側の前方向きに突出するフック部４３と、下端から外向きに折曲連設された取付座３０とを備えたもので、フック部４３の上側辺は先端下がりの傾斜上辺４３ａを形成し、フック部４３の先端下側に下向きの外れ防止用凸部４３ｂが形成されている。而して、当該係止片２９ａ，２９ｂは、図３及び図４に示すように、その取付座３０が、左右両側パネル２，３の下側辺部材５と車輪取付座盤１０ｃ，１０ｄとの間に挟まれた状態で、車輪取付座盤１０ｃ，１０ｄを下側辺部材５に固定する２本のボルトナット１２，１３で共締め固定されている。
【００２６】
荷支持台４の左右両側辺には、当該荷支持台４を水平倒伏姿勢に回倒させたときに左右両側パネル２，３側の係止片２９ａ，２９ｂが上向きに入り込む前後方向に長い開口部３３ａ，３３ｂが設けられている。ロックバー２４は、荷支持台４の前側辺と平行な丸棒材からなるもので、荷支持台４に設けられたロックバーガイド３４内に、水平前後方向に平行移動自在に挿通されている。このロックバーガイド３４は、図３及び図４に示すように、荷支持台４の前側辺と平行に設けられた、前後方向に長い長孔状のもので、その両端は荷支持台４の左右両側辺に開口し、このロックバーガイド３４に挿通されたロックバー２４は、荷支持台４から左右には突出しない長さであって、その両端部は前記開口部３３ａ，３３ｂ内を横断している。
【００２７】
而してロックバーガイド３４は、図６及び図７に示すように荷支持台４が水平倒伏姿勢にあるとき、ロックバー２４が、係止片２９ａ，２９ｂと係合する（係止片２９ａ，２９ｂのフック部４３の下側に入り込む）係止作用位置Ｐ１と、係止片２９ａ，２９ｂから前方に離脱した係止解除位置Ｐ２との間で前後方向に平行移動するのを可能にする。操作手段２５は、前記ロックバーガイド３４と、荷支持台４の前側辺に設けられた操作レバー３５とから構成されている。荷支持台４の前側辺の巾方向中央位置には、最前端にある補強用鋼管２０ａが露出するように切欠き凹部３６が設けられ、操作レバー３５は、前記切欠き凹部３６内に遊嵌し且つ後側辺が、この切欠き凹部３６内に露出している補強用鋼管２０ａに上下揺動自在に支承されたもので、底面側が下方に突出した肉厚前端部３５ａを備え、この肉厚前端部３５ａ内に前記ロックバー２４が貫通する傾斜長孔３７が設けられている。この傾斜長孔３７は、図８Ｂ，Ｃに示すように、操作レバー３５が荷支持台４の上面と面一になる下動限位置から上動するときには前記ロックバー２４を前記係止作用位置Ｐ１から係止解除位置Ｐ２へ移動させると共に、操作レバー３５が上動限位置から下動するときには前記ロックバー２４を係止解除位置Ｐ２から係止作用位置Ｐ１へ移動させるように、前下がりに傾斜している。
【００２８】
前記ロックバー２４は、荷支持台４のロックバーガイド３４と操作レバー３５の傾斜長孔３７とにわたって水平に挿通されたものであるが、このロックバー２４を位置決めするために、図３及び図４に示すようにロックバー抜け止め部材３８が設けられている。このロックバー抜け止め部材３８は、荷支持台４に前記ロックバーガイド３４と重なるように設けられた下側開放の凹入部３９内に遊嵌されたもので、前記ロックバー２４をロックバーガイド３４に一端から挿通するとき、ロックバー抜け止め部材３８に対する当該ロックバー２４の圧入により互いに係合して両者の軸方向の相対遊動を阻止する係止部４０が設けられている。この実施形態での係止部４０は、図５に示すように、ロックバー２４の周面に設けられた環状溝４０ａと、ロックバー抜け止め部材３８の貫通孔３８ａの内周面に前記環状溝４０ａに嵌合するように一体に形成された周方向の環状突条４０ｂとから構成されている。勿論、前記下側開放の凹入部３９は、ロックバー２４がロックバーガイド３４内で係止作用位置Ｐ１と係止解除位置Ｐ２との間で前後方向に移動するのを妨げない前後方向長さを有する。
【００２９】
以上のように構成された折り畳み自在な搬送用台車は、図１に示すように荷支持台４を前方下方に回倒させて、その左右両側辺を左右両側パネル２，３の下側辺部材５で支持させ、この水平倒伏姿勢の荷支持台４を荷支持台係止装置２３で左右両側パネル２，３の下側辺部材５に係止させた状態で搬送作業に供することができる。この状態では、図４、図６及び図７に示すように、左右両側パネル２，３側の係止片２９ａ，２９ｂが荷支持台４側の開口部３３ａ，３３ｂ内に嵌入し、図８Ｂに示すように操作レバー３５は、その上面が荷支持台４の上面と面一の下動限位置にあって、荷支持台４側のロックバーガイド３４の後端部と操作レバー３５側の傾斜長孔３７の後側上端部とが側面視において重なる状態にある。荷支持台４側のロックバー２４は、ロックバーガイド３４と操作レバー３５側の傾斜長孔３７との側面視における共通孔部に保持される結果、ロックバーガイド３４の後端部位置、即ち、係止作用位置Ｐ１に保持され、当該ロックバー２４の両端は、係止片２９ａ，２９ｂの先端フック部４３の下側で且つ外れ防止用凸部４３ｂよりも内側に入り込んだ位置にある。更にこのとき、図８Ａに示すように、係止片２９ａ，２９ｂの先端フック部４３の外れ防止用凸部４３ｂよりも下側にロックバー２４が位置するように構成されている。
【００３０】
従って係る状態では、荷支持台４の上動起立運動がロックバー２４の両端部と左右両側パネル２，３側の係止片２９ａ，２９ｂのフック部４３とで阻止されているので、フォークリフトで荷支持台４を掬い上げてこの搬送用台車全体を持ち上げ、移動させることができる。而して、搬送用台車が床面上にあるときは、係止作用位置Ｐ１にあるロックバー２４は、図８Ａに示すように、係止片２９ａ，２９ｂのフック部４３の下側辺より少なくとも外れ防止用凸部４３ｂの高さ分だけ下方に離れて位置しているので、上記のように荷支持台４をフォークリフトで持ち上げたとき、図１０に示すように、荷支持台４が僅かに上動してロックバー２４がフック部４３の下側辺に当接することになる。そしてフォークリフトの走行に伴う振動で搬送用台車が上下に振動したとき、操作レバー３５の上動を伴ってロックバー２４が前方（係止解除位置Ｐ２の方）へ、フック部４３の下側辺に摺接しながら滑動することが考えられるが、最終的にはロックバー２４は、図１０に示すように、フック部４３の先端下側の外れ防止用凸部４３ｂに当接し、当該フック部４３の先端から前方に外れるのを拒まれる。即ち、荷支持台４と左右両側パネル２，３との係止状態は確実に保持されるのである。
【００３１】
尚、操作レバー３５には前下りの傾斜長孔３７を設けなければならない関係から、底面側が下方に突出した肉厚前端部３５ａが設けられているが、この肉厚前端部３５ａを含む操作レバー３５の全体が荷支持台４の厚さの範囲内に納まるように構成すると、荷支持台４の全体が肉厚になって、重量アップ、コストアップの原因になる。従って、操作レバー３５の肉厚前端部３５ａのみが荷支持台４の底面から下方に突出するように構成することになるが、この場合、上記のようなフォークによる荷支持台４の掬い上げ作業に際して、荷支持台４の底面から下方に突出する操作レバー３５の肉厚前端部３５ａの底面を誤って掬い上げてしまう恐れがある。この不都合を解消するために、図４、及び図８Ｂ，Ｃに示すように、荷支持台４の底面側に、操作レバー３５が遊嵌する切欠き凹部３６の三側辺に沿って突出部４２を形成して、当該突出部４２の下端レベルと荷支持台４の上面との間に肉厚前端部３５ａを含む操作レバー３５の全体が納まるようにし、フォークが切欠き凹部３６と如何なる向きで交差する状況でも、当該フォークが荷支持台４に対して操作レバー３５を押し上げることがないように構成することができる。
【００３２】
使用しない搬送用台車は、図２に示すように平面視においてＬ字形に折り畳むことができる。即ち、図８Ｂに示すように荷支持台４に対して下動限位置にある操作レバー３５を手先又は足先で持ち上げるようして、当該操作レバー３５を、支軸となっている補強用鋼管２０ａの周りで上方に回動させると、図８Ｃに示すように、荷支持台４側の前後方向長孔状のロックバーガイド３４と操作レバー３５側の傾斜長孔３７との側面視における重なり部（共通孔部）がロックバーガイド３４に沿って前方に移動することになるので、前記ロックバーガイド３４と傾斜長孔３７との側面視における重なり部（共通孔部）に保持されているロックバー２４がロックバーガイド３４内を前方に移動させられ、係止作用位置Ｐ１から係止解除位置Ｐ２に切り換えられる。このときのロックバー２４の前方への移動は、係止片２９ａ，２９ｂのフック部４３の先端下側に突出している外れ防止用凸部４３ｂと干渉することなく軽く円滑に行われる。
【００３３】
尚、上記のように、操作レバー３５に底面側が下方に突出する肉厚前端部３５ａが設けられているときは、当該肉厚前端部３５ａの下側突出部分が、手先で操作レバー３５を持ち上げる操作を行う際に手先が引っ掛かる把手部となり、操作が容易になる。
【００３４】
上記操作により、ロックバー２４の両端部が左右両側パネル２，３側の係止片２９ａ，２９ｂの先端フック部４３から前方に離脱し、荷支持台４の持ち上げが可能な状態になるので、操作レバー３５を介してそのまま荷支持台４を持ち上げるように操作し、図９に示すように、荷支持台４を水平支軸２８の周りで背パネル１に対し上動起立させることができる。荷支持台４を背パネル１に重なる起立姿勢に切り換えると、当該荷支持台４は左側パネル３よりも後側（背パネル１側）に位置するので、図２に示すように左側パネル３を、その門形周囲枠６の後側支柱部６ｂ（垂直ピン１６）を中心に右側パネル２の方に水平に回動させ、この左側パネル３と背パネル１との間で起立姿勢の荷支持台４を挟ませ、搬送用台車を平面視においてＬ字形に変形させることができる。このとき、図２に示すように、左側パネル３の前端下側に取り付けられている車輪取付座盤１０ｄの下側辺部材５から内側へ突出する部分は、背パネル１の下側（下側辺部材５の下側）に入り込むことになる。
【００３５】
上記のように折り畳まれている搬送用台車を使用するときは、左側パネル３を背パネル１に対し直角前方向きになるように水平に開動させた状態で、起立状態の荷支持台４を前方下方に回倒させてその左右両側辺を左右両側パネル２，３の下側辺部材５の上に載置させるのであるが、操作レバー３５が荷支持台４に対して倒伏した下動限位置又はその近傍位置にあると、ロックバー２４が係止作用位置Ｐ１側へ移動した状態にあるから、当該ロックバー２４が左右両側パネル２，３側の係止片２９ａ，２９ｂのフック部４３における傾斜上辺４３ａの上に降ろされることになる。この後の荷支持台４の水平倒伏姿勢への回倒により、ロックバー２４がフック部４３の傾斜上辺４３ａによって前方へ強制移動させられ、図１１に示すように、操作レバー３５が上動することになる。
【００３６】
荷支持台４が左右両側パネル２，３で支持される水平倒伏姿勢になったとき、ロックバー２４はフック部４３の先端から前方下方に外れた位置（係止解除位置Ｐ２）にあり、操作レバー３５は上動した状態にあるが、この後、操作レバー３５が自重で倒伏回動してロックバー２４が自動的に係止作用位置Ｐ１に切り換えられることは、当該操作レバー３５を下動方向に強制付勢するバネが併用されていないこともあって、期待できない。このような場合、図１２に示すように、操作レバー３５を足先で踏み降ろして下動限位置まで強制倒伏させることにより、傾斜長孔３７とロックバーガイド３４との相対上下動によりロックバー２４を強制的に後方へ移動させ、フック部４３の下側に入り込んだ係止作用位置Ｐ１に切り換える。このときも、フック部４３の先端下側の外れ防止用凸部４３ｂとロックバー２４とが干渉し合うことはない。
【００３７】
勿論、荷支持台４を水平倒伏姿勢に切り換えるとき、操作レバー３５を手で持って行えば、自然に操作レバー３５が荷支持台４に対して上動限位置になり、ロックバー２４が係止解除位置Ｐ２に切り換えられた状態で荷支持台４が水平倒伏姿勢に達するので、上記のようなロックバー２４とフック部４３の傾斜上辺４３ａとの衝突を避けることができる。
【００３８】
操作レバー３５には、図１３及び図１４に示すように、係止作用位置Ｐ１と係止解除位置Ｐ２との間のロックバー２４の移動経路脇で、係止作用位置Ｐ１にあるロックバー２４に隣接する位置にロックバー乗り越え突起４４を突設することができる。図示の操作レバー３５は、ロックバー２４が貫通する部分に並列する２つの上側開放の凹入部３５ｂ，３５ｃを形成し、左右両側壁部３５ｄ，３５ｅと中央隔壁部３５ｆとに傾斜長孔３７を設けたものであって、前記ロックバー乗り越え突起４４は、中央隔壁部３５ｆの左右両側で傾斜長孔３７の下側に形成している。このようなロックバー乗り越え突起４４が設けられていると、操作レバー３５を踏み降ろしてロックバー２４を係止解除位置Ｐ２から係止作用位置Ｐ１に切り換えたとき、ロックバー２４が係止作用位置Ｐ１に到達する直前にロックバー乗り越え突起４４との当接による抵抗を受けることになり、作業者は、この抵抗に抗して操作レバー３５を踏み降ろすことにより、ロックバー２４がロックバー乗り越え突起４４を乗り越えたときの、カチッとロックが掛かったときのクリック感を認識することができ、確実なロック操作が行い易くなる。尚、上側開放の凹入部３５ｂ，３５ｃは蓋板３５ｇで塞ぐことができる。
【００３９】
尚、図１２までに示した図示例では、荷支持台４や操作レバー３５に材料削減と軽量化のための不必要な肉部を削減するための凹入部や貫通孔部を示していないが、実際には、これら凹入部や貫通孔部が適宜配置されて成形される。又、ロックバーガイド３４も、実際には、上下に分割された成形型で荷支持台４を成形するときに、上側開放の下半部と下側開放の上半部とを軸心方向に交互に配列して同時に構成することが可能である。
【図面の簡単な説明】
【００４０】
【図１】使用状態での搬送用台車全体の斜視図である。
【図２】折り畳まれた搬送用台車全体の平面図である。
【図３】Ａ図は使用状態での搬送用台車の一部切欠き横断平面図、Ｂ図は同図の要部の拡大一部横断平面図である。
【図４】荷支持台係止装置を示す縦断正面図である。
【図５】ロックバーとロックバー抜け止め部材との間の係止部の一例を示す縦断側面図である。
【図６】荷支持台と荷支持台係止装置とを示す、左側パネルの内側位置での縦断側面図である。
【図７】同上の荷支持台の一部分を縦断面で示す図である。
【図８】Ａ図は図７の要部拡大図、Ｂ図は操作レバー位置での要部の縦断側面図、Ｃ図はＢ図の操作レバーを上動限位置まで持ち上げた状態での図である。
【図９】係止解除された荷支持台を上動起立させるときの状態の要部を示す縦断側面図である。
【図１０】荷支持台をフォークリフトで持ち上げたときの係止装置の変化を示す要部の縦断側面図である。
【図１１】荷支持台を水平倒伏姿勢に回倒させたときの係止装置の変化を示す要部の縦断側面図である。
【図１２】図１１の状態から操作レバーを踏み降ろすときの様子を示す要部の縦断側面図である。
【図１３】操作レバーの変形例を示す縦断側面図である。
【図１４】同変形例に係る操作レバーの横断平面図である。
【符号の説明】
【００４１】
１    背パネル
２    左側パネル
３    右側パネル
４    荷支持台
５    下側辺部材
６    門形周囲枠
９ａ〜９ｄ    車輪
１０ａ〜１０ｄ    車輪取付座盤
１４，１６    垂直ピン
１８，１９    連結部材
２０ａ〜２０ｃ    補強用鋼管
２１，２２    ヒンジ
２３    荷支持台係止装置
２４    ロックバー
２５    操作手段
２８    水平支軸
２９ａ，２９ｂ    係止片
３０    係止片取付座
３３ａ，３３ｂ    開口部
３４    ロックバーガイド
３５    操作レバー
３５ａ    操作レバー前端部
３６    切欠き凹部
３７    傾斜長孔
３８    ロックバー抜け止め部材
３９    凹入部
４０    係止部
４０ａ    環状溝
４０ｂ    環状突条
４２    突出部
４３    係止片のフック部
４３ａ    傾斜上辺
４３ｂ    外れ防止用凸部
４４    ロックバー乗り越え突起
Ｐ１    係止作用位置
Ｐ２    係止解除位置
【図１】
2008062726.tif 000003
【図２】
2008062726.tif 000004
【図３】
2008062726.tif 000005
【図４】
2008062726.tif 000006
【図５】
2008062726.tif 000007
【図６】
2008062726.tif 000008
【図７】
2008062726.tif 000009
【図８】
2008062726.tif 000010
【図９】
2008062726.tif 000011
【図１０】
2008062726.tif 000012
【図１１】
2008062726.tif 000013
【図１２】
2008062726.tif 000014
【図１３】
2008062726.tif 000015
【図１４】
2008062726.tif 000016